(57)【特許請求の範囲】
【請求項１】
ハウジングと、該ハウジングの外部に配置されたバーを含むストラップ取付手段と、上記ハウジングに対して上記バーを回転できるように上記ハウジングに対して可動であるヒンジ手段とを備えることを特徴とする無線電話。
【請求項２】
上記ストラップ取付手段は、第１及び第２のアームを上記バーの両端に備え、そして上記ヒンジ手段は、上記第１及び第２のアームの端部に各々接続された第１及び第２のヒンジを備えた請求項１に記載の無線電話。
【請求項３】
上記アームは、上記ストラップ取付手段を取り外せるように上記アーム間の間隔が上記第１及び第２のヒンジの間の長さよりも大きな長さまで拡張されるように可動であり、上記アームは、それらが移動させられるとき上記ハウジングから取り外されうる請求項２に記載の無線電話。
【請求項４】
固定ヒンジ軸を与えるように上記ハウジングに対して固定して取り付けられる２つのヒンジを備える別のストラップ取付手段を更に備える請求項１または２または３に記載の無線電話。
【請求項５】
上記第１及び第２のヒンジは、上記ハウジングに対して可動であり、これにより、これらヒンジは、異なる第１位置と第２位置との間で上記ハウジングに対して移動できる請求項２または３に記載の無線電話。
【請求項６】
上記第１位置において、上記バーは、上記ハウジングの外部に接触する請求項５に記載の無線電話。
【請求項７】
上記第２位置において、上記バーは、上記ハウジングから離れている請求項５または６に記載の無線電話。
【請求項８】
上記ヒンジ手段は、上記ハウジングに対する多数の所定角度位置において、上記アームが休止位置に入るように構成される請求項１から７のうちのいずれか１項に記載の無線電話。
【請求項９】
上記ストラップ取付手段は、上記ハウジングに取り外し可能に取り付けられる請求項１から８のうちのいずれか１項に記載の無線電話。
【請求項１０】
上記バーは、上記アーム間の間隔を、上記ストラップ取付手段が上記ハウジングに取り付け保持されうるようなものとするように、上記ストラップ取付手段をバイアスするためのバイアス手段を備える請求項２から９のうちのいずれか１項に記載の無線電話。
【請求項１１】
別のストラップ取付手段が、上記ストラップ取付手段が設けられる上記ハウジングの端とは反対端で該ハウジングの外部に設けらており、上記ストラップ取付手段と上記別のストラップ取付手段とに接続するストラップを備える請求項１から１０のうちのいずれか１項に記載の無線電話。
【請求項１２】
上記各ストラップ取付手段の間の上記ストラップの長さは、上記各ストラップ取付手段の間の距離よりも長い請求項１１に記載の無線電話。
【発明の詳細な説明】
【０００１】
【発明の属する技術分野】
本発明は、無線電話に係る。
【０００２】
【従来の技術】
近年、セルラー電話のサイズは、「ハンドヘルド」又は「パルムヘルド」と言えるほどの段階まで減少した。
【０００３】
これらのセルラー電話に、電話を携帯するためのコードを設けることが知られている。コードは、電話のハウジングの穴に通され、そしてその両端が結ばれてエンドレスループが形成される。ユーザは、電話を使用しないときにはコードにより電話を便利に携帯することができる。又、電話を使用するときには、ユーザは、コードのループに手を通し、コードが手首に巻き付くようにすることができる。電話がユーザの手から滑り落ちたり又は手がぶつかったりするときに、コードは、電話を支持しそして電話への落下ダメージを防止する補助的な手段を形成する。
【０００４】
【発明の構成】
本発明は、無線電話の補助的な支持手段を設けることに係り、より詳細には、支持をいかに達成するかに関する。
【０００５】
このため、本発明は、ハウジングと、該ハウジングの外部に配置されたバーを含むストラップ取付手段とを備えた無線電話を提供する。
【０００６】
ストラップ取付手段、特に、電話ハウジングの外部にバーを備えたストラップ取付手段を設けることにより、本発明は、以下に述べるように、公知技術では得られない多数の補助的な支持体を提供する。
【０００７】
１つの好ましい実施形態において、電話は、ハウジングの一端の外部に配置された第１ストラップ取付手段と、ハウジングの反対端の外部に配置された第２ストラップ取付手段と、これら第１及び第２のストラップ取付手段間に接続されたストラップとを備えている。この実施形態を使用すると、ユーザは、ストラップと電話の背面との間に指を通して電話を通常のやり方で手のひらに保持することができる。従って、ユーザが電話を離すか又は掴み損なった場合には、ストラップが電話を手と接触した状態に保持し、電話の補助的な支持体を形成する。
【０００８】
好ましくは、ストラップ取付手段は、第１及び第２のアームをバーの両端に備え、これらアームは、ハウジングにヒンジ取り付けされる。従って、ストラップ取付手段及びハウジングは、細長いスロットを形成し、これを通してストラップが送られてバーを周って戻され、それを取付手段に固定する。
【０００９】
本発明は、その他の観点においては、以下に述べるように、トランスジューサ構成体及びカバーに係ると共に、以下に述べるグリップにも係る。
【００１０】
【発明の実施の形態】
以下、添付図面を参照して、本発明の実施形態を詳細に説明する。
【００１１】
図１及び３には、携帯ストラップ、いわゆる手のひらストラップ１００が設けられたセルラー電話が１０で一般的に示されている。電話１０の内部部品は、上端１２ａ、下端１２ｂ及び側部１２ｃ、１２ｄを有するハウジング１２内に配置される。上端１２ａには、溝１３ａが形成される。下端１２ｂには、溝１３ｂが形成される。電話１０の外部には、通常そうであるように、キーパッド１４及びディスプレイ１６が設けられる。又、電話１０には、側部にグリップ１８が設けられる。グリップ１８は、滑らない柔軟なエラストマーで作られ、そしてリブが設けられる。グリップ１８は、ハウジング１２に接合され、側部の耐衝撃保護手段を形成する。又、電話１０には、メタルメッシュスピーカ及びマイクロホンカバー２０、２２が各々設けられている。音声トランスジューサ（図４のマイクロホン１９及びスピーカ２１）へ及びそこから音声を搬送する控え目な比較的小さな穴を使用する従来のセルラー電話１０とは対照的に、このメッシュカバーは、比較的大きな開口を電話の外部に使用できるようにし、しかも、異物が電話の内部に入り込むおそれを生じないと共に、それに関連してスタイルが悪くなることもない。音声トランスジューサへの比較的大きな開口が可能であるために、コールを行うときの電話１０に対するユーザの位置はあまり重要ではなく、これは、大きなスピーカ出力集音面積から大きな利益が得られるユーザの耳・対・スピーカ接続に対して特に明らかである。
【００１２】
又、電話１０は、上端１２ａの領域及び下端１２ｂの領域においてハウジング１２に各々取り付けられた第１及び第２の取付ループ３０、４０も備えている。これらの取付ループは図４に最も良く示され、そして以下に詳細に説明する。簡単に述べると、各取付ループはバー３２を含み、その各端からアーム３６、３８が一般的に直交するように延びて、一般的に‘Ｃ’字型のループを形成する。図１ないし３、特に図３を参照すると、ストラップ１００は、取付ループ３０と４０との間に接続される。ストラップは、その材料の両端末に配置された第１のヴェルクロパッド（マジックテープ（登録商標））１０２を有するある長さの弾力性材料より成る。第１のヴェルクロパッド１０２の内方には、第２のヴェルクロパッド１０４が配置され、これは、第１のヴェルクロパッドより大きい。第２のヴェルクロパッド間には、例えば、電話製造者の名前のようなデザイン又はロゴを保持する材料領域１０６が指定される。ストラップは、これをループ３０に通しバー３０を取り巻くようにバー３２を巡って戻し、そして隣接する第１及び第２のヴェルクロパッド１０２、１０４を係合させることにより、第１の取付ループ３０に一端が取り付けられる。パッド１０２、１０４のどちらがフックを形成しそしてどちらがループを形成するかは問題でない。ストラップの他端も、同様に第２の取付ループ３４に取り付けられる。
【００１３】
図４を参照すれば、取り付けループ３０、４０は、ヒンジ機構によりハウジング１２に取り付けられる。
【００１４】
先ず、第２の取付ループ４０を参照すれば、このループは、ハウジング１２内に固定取り付けされた一対のヒンジユニット５０ａ、５０ｂによってハウジング１２に取り付けられ、各ヒンジユニット５０ａ、５０ｂは、第２の取り付けループ４０のアームに接続される。図６は、丸Ｂで囲まれたヒンジユニット５０ａ及びアーム３６へのその接続を拡大して示している。（他方のヒンジユニット５０ｂの状態も同一である。）アーム３６の端には、内方に向いたカップ部分３７が設けられ、このカップ部分は、ハウジング１２の開口４２を経て突出する。このカップ部分３７は、くぼみ３７ａを含む。ヒンジユニット５０ａは、開口４２の付近にしっかりと取り付けられ、くぼみ３７ａと嵌合するシャフト５２を備えている。図４に戻ると、ヒンジユニット５０ａ、５０ｂは、第２の取付ループを、ＦＡで示された固定軸の周りで回転できるようにする。
【００１５】
第１の取付ループ３０を参照すれば、このループは、一対のヒンジユニット５０ｃ、５０ｄによりハウジング１２に取り付けられ、各ヒンジユニット５０ｃ、５０ｄは、第１取付ループ４０のアームに接続される。図５は、丸Ａで囲まれたヒンジユニット５０ｃ及びアーム３６へのその接続を拡大して示している。（他方のヒンジユニット５０ｄの状態も同じである。）アーム３６の端には、内方に向いたカップ部分３７が設けられ、このカップ部分は、ハウジング１２の開口４４を経て突出する。カップ部分３７は、くぼみ３７ａを含む。ヒンジユニット５０ｃは、くぼみ３７ａと嵌合するシャフト５２を含む。しかしながら、ハウジングユニット５０ａ、５０ｂのようにハウジング１２内にしっかりと取り付けられるのではなく、ヒンジユニット５０ｃは、ヒンジキャリア４６内に取り付けられる。このヒンジキャリア４６は、開口４４内に安住し、ヒンジユニット５０ｃを二重矢印Ｓで示すようにキャリア４６内で前後にスライドさせることができる。ヒンジキャリア４６とヒンジユニット５０ｃとの間は緊密に嵌合され、ヒンジユニット５０ｃは、ユーザがヒンジキャリア４６内の多数の位置の１つに移動することができ、そしてユーザが力を加えない場合にはその位置に留まる。これは図４及び６に示されており、ヒンジユニット５０ｃ（及びヒンジユニット５０ｄ）が取り得る２つの限界位置が同時に示されている。ヒンジユニット５０ｃは、ヒンジキャリア４６内の最も下の位置を占有した状態が実線で示され、従って、バー３２（実線）は、溝１３ａ内の引っ込められたアイドル位置に休止する。ヒンジユニット５０ｃは、ヒンジキャリア４６内の最も上の位置が破線で示されており、従って、バー３２（破線）は、動作位置においてハウジングの上端１２ａから充分に起立する。ヒンジユニット５０ｃ、５０ｄは、このようにスライドできるので、可動ヒンジ軸を有するヒンジ機構を形成する。ヒンジユニット５０ｃ、５０ｄの２つの図示された位置に対応する２つの考えられる限界ヒンジ軸が図４にＭＡ１及びＭＡ２で示されている。
【００１６】
各ヒンジユニット５０ａ−ｄは、同一のもであり、そして所定の角度方向において、そのシャフト４２が好都合な休止位置を占有するように内部構成される。これらの休止位置間で、シャフト４２が自由に回転する。これが図７に示されている。第２の取付ループ４０は、３つの休止位置で示されている。位置Ｐ１は、実線で示され、そして位置Ｐ２及びＰ３は、破線で示されている。第２の取付ループを矢印Ｒで示すように回転する間に、取付ループ４０が位置Ｐ１、Ｐ２又はＰ３のいずれかにあるときにユーザが外部から加えた値からが取り去られた場合には、その位置に留まる傾向となる。一方、取付ループ４０が休止位置Ｐ１、Ｐ２又はＰ３間にある場合には、取付ループの重みのもとで休止位置の１つへ自由に移動して、そこに留まる。図示されていないが、第２の取付ループは、アイドル位置となるハウジング１２の下面１２ｂ又は溝１３ｂに安住する休止位置を有する。
【００１７】
図４を参照すれば、各取り付けループ３０、４０のバー３２は、構造が同一である。バーの長さは、図４におけるその長さから、シャフト５２をその各々のカップ部分３７から引き出し、ひいては、取付ループ３０、４０を取り去ることのできる最大長さまで延ばすことができる。より詳細には、バー３２は外部管３３を含み、その中にアーム３６、３８の端部３４をスライド可能に取り付けることができる。端部３４は短いスロット３４ａを含み、外部管３３に形成されたピン３３ａがその中を移動できる。アーム３６、３８の端部３４を接続するスプリング３５は、取付手段をこの位置へ確実にバイアスする。比較的大きな外向きの引張力を例えば第２の取付手段４０のアーム３８に加えることにより、アーム３８の端部３４は、管３３から、スロット３４ａとピン３３ａとの係合で許された程度まで引き出すことができ、これにより、バー３２の長さを効果的に増加して、カップ部分３７を越えてシャフトを引き出し、取付ループを取り外すことができる。
【００１８】
図１に戻ると、ユーザは、ストラップ１００と電話の背面との間に指を通して電話１０を通常のやり方で手のひらに保持することができる。従って、ユーザが電話を離すか又は電話を保持し損なうと、ストラップ１００は、電話を手と接触状態に保つように働き、電話の補助的な支持体となる。
【００１９】
更に、ユーザは、ヴェルクロパッド１０２、１０４の両対を分離し、そしてストラップ１００を取付ループ３０、４０から離すように引っ張ることによりストラップ１００を取り外すことができる。
【００２０】
次いで、ユーザは、別のストラップを選択することができる。ユーザは、同じ機能を有するが色又は見掛けが異なり及び／又は領域１０６のデザイン又はロゴが異なる別のストラップを適合させるように選択することができる。更に、ユーザは、機能の異なるストラップを適合させるように選択することもできる。例えば、ストラップを取付ループに係合させる機構は、クリップでもよいし、フックでもよい。又、ストラップは、両方の取付ループ３０、４０に取り付ける必要はない。
【００２１】
取付ループ３０、４０のいずれか（又は両方）が必要とされない場合には、これを完全に除去するか又はそのアイドル位置に引っ込めて（即ち、アイドル位置では、取付ループ３０の場合、バー３２が溝１３ａに入れられ、そして取付ループ４０の場合、バー３２が溝１３ｂに入れられ）、ユーザの通常の電話使用を妨げないようにすることができる。たとえユーザが取付ループをその各々のアイドル位置へ容易に移動できるとしても、それらは、上記のように、ヒンジユニット５０ａ−ｄの好都合な休止位置のために、回転移動によってがたつきが生じることはない。更に、第１の取付ループは、ヒンジユニット５０ｃ、５０ｄとヒンジキャリア４６との間の緊密な摩擦嵌合によりヒンジユニット５０ｃ、５０ｄが直線的に変位するために、がたつきを生じる傾向がない。
【００２２】
他の実施形態では、ヒンジユニットは、がたつきを避けるために単一の所定の位置へスプリングバイアスされるだけである。
【００２３】
以上の説明から、本発明の好ましい実施形態は、公知技術に勝る顕著な進歩をもたらすことが明らかであろう。
【図面の簡単な説明】
【図１】本発明による手のひらストラップが設けられたセルラー電話の斜視図である。
【図２】図１の前面図である。
【図３】図２の側面図である。
【図４】ある部分を取り外して内部を露出した図２の電話を示す図である。
【図５】図４の丸で囲んだ部分Ａの拡大図である。
【図６】図４の丸で囲んだ部分Ｂの拡大図である。
【図７】図６の矢印Ｄの方向から見た図である。
【符号の説明】
１０  セルラー電話
１２  ハウジング
１４  キーパッド
１６  ディスプレイ
１８  グリップ
１９  マイクロホン
２１  スピーカ
３０、４０  取付ループ
３２  バー
３６、３８  アーム
３７  カップ部分
３７ａ  くぼみ
４２  シャフト
４４  開口
４６  ヒンジキャリア
５０ａ、５０ｂ、５０ｃ、５０ｄ  ヒンジユニット
５２  シャフト
１００  手のひらストラップ
１０２、１０４  ヴェルクロパッド
【図１】
0003721280.tif 000002
【図２】
0003721280.tif 000003
【図３】
0003721280.tif 000004
【図４】
0003721280.tif 000005
【図５】
0003721280.tif 000006
【図６】
0003721280.tif 000007
【図７】
0003721280.tif 000008